(57)【要約】【課題】柵装置を例えば面格子として使用する場合に、各縦桟を横桟に対しスムーズにスライドさせることができて、その開閉操作を容易に行わせることができるようにする。【解決手段】定位置に固定される上下一対の中空状横桟２，３と、上下両横桟２，３に跨がって横桟長手方向に並列状に配置される複数の中空状縦桟４・・・とからなる柵装置であって、上下両横桟２，３に夫々ガイドレール５とラック６とを横桟全長に亘って設け、各縦桟４の上下両端部にはガイドレール５に摺動可能に保持されるスライダー７を設けると共に、一端側の縦桟４ａには上下両横桟２，３のラック６，６に夫々噛合するピニオンを上下両端部に設けた回転軸を軸架し、隣り合う縦桟４同士を索体１０によって連結し、他端側の縦桟４ｂを上下両横桟２，３に固着する。【選択図】図２
2005188111.tif 000002
【特許請求の範囲】
【請求項１】
定位置に固定される上下一対の中空状横桟と、上下両横桟に跨がって横桟長手方向に並列状に配置される複数の中空状縦桟と、からなる柵装置であって、上下両横桟には夫々ガイドレールとラックとを横桟全長に亘って設け、各縦桟の上下両端部には前記ガイドレールに摺動可能に保持されるスライダーを設けると共に、一端側の縦桟には上下両横桟のラックに夫々噛合するピニオンを上下両端部に設けた回転軸を軸架し、隣り合う縦桟同士を索体によって連結し、他端側の縦桟を上下両横桟に固着してなる柵装置。
【請求項２】
各スライダーにはガイドレールに支持されて転動する車輪を軸支してなる請求項１に記載の柵装置。
【請求項３】
前記一端側の縦桟には前記回転軸を正逆回転駆動するモーターを設けてなる請求項１又は２に記載の柵装置。
【発明の詳細な説明】
【技術分野】
【０００１】
本発明は、非常脱出機能を有する面格子、保護柵、間仕切り、シャッター、雨戸等の広範囲な分野に使用される柵装置に関する。
【背景技術】
【０００２】
上記のような柵装置として、例えば特許文献１に記載されたものがある。この特許文献１に記載の柵装置は、一対のガイドレールに跨がり、且つガイドレールの長手方向へ並列状に配列された複数の柵部材に夫々スライダーを突設し、これら柵部材を夫々スライダーを介してガイドレールにスライド可能に係嵌し、ガイドレールに挿通されたチェーンに柵部材を夫々スライダーを介して互いに連結してなるもので、この柵装置を例えば面格子に適用した場合、両端の柵部材のうち、その一端側の柵部材をガイドレールに固定し、他端側の柵部材を施錠装置によってガイドレールにロックするだけで、常時は、窓開口部を閉鎖して防犯機能を確実に維持することができると共に、火災発生時等の緊急時には、上記ロックを解除し、各柵部材をスライドさせて窓開口部を開放し、その開放された窓開口部から室外に緊急脱出することができる。
【特許文献１】実開平６−４７５７９号公報
【発明の開示】
【発明が解決しようとする課題】
【０００３】
上記の特許文献１に記載された従来の柵装置では、柵部材を手動で上下両ガイドレールに沿ってスライドさせる時に、柵部材をその中間部を上手く掴んでガイドレールに対して直交する垂直姿勢でスライドさせれば、スムーズにスライドできるが、急いでいる場合等に柵部材を掴む位置が上方又は下方に偏ると、その柵部材がスライド方向前後に倒れて、スライダーがガイドレールに対し拗れた状態となり、それがために柵部材をガイドレールに沿ってスムーズにスライドさせることができず、面格子の場合の開閉操作に困難を来していた。
【０００４】
本発明は、上記の課題に鑑み、柵装置を例えば面格子として使用する場合に、各縦桟を横桟に対しスムーズにスライドさせることができて、その開閉操作を容易に行わせることができる柵装置を提供することを目的とする。
【課題を解決するための手段】
【０００５】
上記課題を解決するための手段を、後述する実施形態の参照符号を付して説明すると、請求項１に係る発明は、定位置に固定される上下一対の中空状横桟２，３と、上下両横桟２，３に跨がって横桟長手方向に並列状に配置される複数の中空状縦桟４・・・と、からなる柵装置であって、上下両横桟２，３には夫々ガイドレール５とラック６とを横桟全長に亘って設け、各縦桟４の上下両端部には前記ガイドレール５に摺動可能に保持されるスライダー７を設けると共に、一端側の縦桟４ａには上下両横桟２，３のラック６，６に夫々噛合するピニオン８，８を上下両端部に設けた回転軸２５を軸架し、隣り合う縦桟４同士を索体１０によって連結し、他端側の縦桟４ｂを上下両横桟２，３に固着してなることを特徴とする。
【０００６】
請求項２は、請求項１に記載の柵装置において、各スライダー７にはガイドレール５に支持されて転動する車輪１９を軸支してなることを特徴とする。
【０００７】
請求項３は、請求項１又は２に記載の柵装置において、前記一端側の縦桟４ａには前記回転軸２５を正逆回転駆動するモーター３０を設けてなることを特徴とする。
【発明の効果】
【０００８】
上記解決手段による発明の効果を、後述する実施形態の参照符号を付して説明すると、請求項１に係る発明によれば、一端側の縦桟４ａを把持してスライド開閉する時に、この縦桟４ａの上端部側と下端部側の速度が、上下横桟２，３のラック６，６に噛合するピニオン８，８を設けた回転軸２５によって同調されるから、縦桟４の上端部、下端部あるいは中間部のどの位置を把持しても、この縦桟４ａがスライド方向前後に倒れるようなことがなく、従ってその倒れによる不具合が解消され、この縦桟４ａを横桟２，３に沿って軽快にスライドさせて、縦桟４・・・の開閉をスムーズに行わせることができる。
【０００９】
請求項２に係る発明によれば、各縦桟４の上下両端部に夫々設けてあるスライダー７のスライド動作が非常に軽くなり、従ってこれらの縦桟４・・・による窓開口部Ｏのスライド開閉をより一層軽快に行わせることができる。
【００１０】
請求項３に係る発明によれば、一端側の縦桟４ａに回転軸２５を駆動する電動モーター３０を設けたことにより、この一端側縦桟４ａを自動的にスライドさせて、縦桟４・・・を自動開閉させることができる。
【発明を実施するための最良の形態】
【００１１】
図１の(a) は本発明に係る柵装置の一実施形態である面格子１を窓開口部Ｏに設置した状態を室外側から見た正面図であり、(b) は同面格子１を室外側から見た正面図である。図２は同面格子１を開放している状態を室外側から見た正面図、図３は(a) は図１の(a)
のＸ−Ｘ線拡大断面図、(b) は(a) に示すスライダーの拡大断面図、図４は図１の(a) のＹ−Ｙ線に沿って断面した一部断面拡大平面図である。図５は同面格子１の下部側部分の一部断面拡大正面図である。
【００１２】
この面格子１は、図３及び図４に示すように窓サッシＳに取付金具Ｋを介して窓開口部Ｏ内の上下所定位置に固定される上下一対の中空状横桟２，３と、上下両横桟２，３に跨がって横桟長手方向に並列状に配置される複数の中空状縦桟４・・・とからなる手動開閉式の面格子であって、上下両横桟２，３には夫々ガイドレール５とラック６とが横桟全長に亘って設けられ、各縦桟４の上下両端部には前記ガイドレール５に摺動可能に保持されるスライダー７が設けられると共に、前記複数の縦桟４・・・のうちの一端側の縦桟４ａには上下両横桟２，３のラック６，６に夫々噛合するピニオン８を上下両端部に設けた回転軸９が軸架され、そして隣り合う縦桟４，４同士が索体としてのチェーン１０によって連結され、他端側の縦桟４ｂが上下両横桟２，３に固着されている。
【００１３】
この面格子１の構造につき更に詳しく説明すれば、上下各横桟２，３は、図３に示すように、夫々アルミ押出型材からなる第１型材１１と第２型材１２とを組み合わせて一体的に接合することにより角筒状に形成されたもので、縦桟４が摺接する側にガイドレール５が形成され、このガイドレール５の下端部側に設けてある凹溝条１３には型鋼材からなるラック６が嵌挿固定されている。尚、ガイドレール５及び凹溝条１３は第２型材１２側に形成され、この第２型材１２側のガイドレール５と第１型材１１との間にスライダー挿通用開口部１４が型材１１，１２の全長に亘って形成されている。図４に示すように、各横桟２，３の両端部には夫々合成樹脂製のキャップ１５が嵌着される。
【００１４】
各縦桟４は、図４に示すように、断面略台形状のアルミ押出中空型材からなるもので、台形の底辺側にある側壁１６の外面には上下両端部に夫々スライダー７が取り付けられ、従って各縦桟４は、この上下両端部のスライダー７，７を介して上下両横桟２，３のガイドレール５，５に沿ってスライド開閉することができる。また、各縦桟４の上下両端部には合成樹脂製のキャップ２３が嵌着されている。
【００１５】
各スライダー７は、図３の(b) に拡大して示すような断面形状のアルミ押出型材を所定長さごとに切断することによって形成されるもので、各縦桟４の側壁１６の外面にビス１８で取り付けられる基板部７ａと、この基板部７ａの上部側から水平に突出するスライダー本体７ｂと、このスライダー本体７ｂの先端部から下向きに突出する支持壁部７ｃと、スライダー本体７ｂの中間部から下向きに突出するガイド壁部７ｄと、スライダー本体７ｂの先端部に形成された断面円弧状の中空壁部７ｅとから構成され、そして支持壁部７ｃには、ガイドレール５に支持されて転動する一対の車輪１９，１９が軸支されている。
【００１６】
しかして、各スライダー７は、図３の(a) に示すように、その基板部７ａが縦桟４に取り付けられた状態で、スライダー本体７ｂが各横桟２，３の開口部１４を介してその内部に突入されて、基板部７ａとスライダー本体７ｂとガイド壁部７ｄとが横桟２，３のガイドレール５に軽く掛嵌される状態になると共に、支持壁部７ｃに軸支された一対の車輪１９，１９が、ガイドレール５の内側下端部に一体形成された台座部２０上に支持されて転動するようになっている。この車輪１９は、スライダー７がガイドレール５に対し僅かに浮いた状態で台座部２０上に支持されるもので、スライダー７のスライド動作を軽快にスムーズに行わせるためのものである。
【００１７】
また、一端側の縦桟４ａに取り付けられる上下各スライダー７のスライダー本体７ｂの上面には、この縦桟４ａが横方向（スライド方向と直交する方向）に倒れるのを防止するための倒れ防止片２２がビス２１で取り付けられている。また、この一端側の縦桟４ａ、即ち先頭側の縦桟４ａに続く後続の縦桟４には、図５に示すように、面格子１のスライド開閉時に、縦桟４ａ，４同士、縦桟４，４同士、更に縦桟４，４ｂ同士が衝突する時の衝突音を緩和するための吸音パッド２７がビス２１で取り付けられている。この吸音パッド２７は例えばゴム材からなる。
【００１８】
また、各スライダー７の基板部７ａは、その外面が縦桟４のスライド時に各横桟２，３の対向面に対し摺接することから、その摺接時の接触摩擦抵抗を極力小さくするように、基板部７ａの外面が摺接する各横桟２，３の対向面（ガイドレール５の外側面部、及びこのガイドレール５の外側面部に隣接する横桟２，３の側面部分）には、図３の(a) 及び図５に示すように、横桟２，３の長手方向に延びる溝条部２４が多数条設されている。尚、このような溝条部２４は、横桟２，３側に設ける代わりに、各スライダー７の基板部７ａ側に設けてもよい。
【００１９】
前記複数の縦桟４・・・のうちの一端側の縦桟４ａの内部には、図３の(a) 及び図４に示すように縦桟４ａの長手方向に沿って回転軸２５が配置されて、軸受２６，２６により軸架され、この回転軸２５の上下両端部に固着されたピニオン８，８が、縦桟４ａの側壁１６及びスライダー７の基板部７ａを貫通して（その貫通孔を２８で示す）夫々上下横桟２，３のラック６，６と噛合している。従って、この一端側の縦桟４ａを、上下両端部のスライダー７，７を介して上下両横桟２，３に沿ってスライドさせる時に、回転軸２５及びこれの両端部のピニオン８，８によって当該縦桟４ａの上端部側の速度と下端部側の速度とが同調され、これによって縦桟４の上端部、下端部あるいは中間部のどの位置を把持しても、縦桟４がスライド方向前後に倒れることがなく、従ってその倒れによる不具合が解消され、縦桟４ａを横桟２，３に沿って軽快にスライドさせることができる。
【００２０】
前記チェーン１０（索体）は、各縦桟４から上下各横桟２，３内部に突入しているスライダー７の断面円弧状中空壁部７ｅに挿通されるもので、このチェーン１０を緊張させて縦桟４，４相互の間隔を一定に設定した状態で各スライダー７の中空壁部７ｅをかしめ、その中空壁部７ｅとチェーン１０とを一体に固着することによって、隣り合う縦桟４，４同士を一定間隔内で互いに接離自在に連結することができる。
【００２１】
このチェーン１０は、横桟２，３内に収納されるため、切断されるおそれがなく、防犯上の機能を確実に維持できると共に、外から見えないため外観上の体裁もよい。尚、防錆のため、チェーン１０の材質としてはステンレス鋼製のものを使用するのがよい。また、チェーン１０に代えてワイヤーロープ等を用いてもよい。
【００２２】
他端側の縦桟４ｂは、図示は省略するが、ビス止め等によって上下両横桟２，３に一体的に固着される。また、この面格子１は、一端側の縦桟４ａ、即ち先頭の縦桟４ａを手で押し引き操作することによって窓開口部Ｏを開閉する手動開閉式であることから、図示は省略するが、この先頭の縦桟４ａを所要開閉位置で横桟２，３に固定するための適当な施錠手段が適当な箇所に設けられる。この施錠手段は、面格子１に防犯機能をもたせるために不法侵入者等が室外側から解錠操作できないようにし、且つ火災発生等の緊急事態が発生した時や網戸を修理のために取り外すような時には室内側から簡単にロック解錠できるようにする必要がある。
【００２３】
上記のような構成よりなる面格子１の使用要領を説明すると、図１の(a) 及び(b) は、面格子１が閉じて窓開口部Ｏが閉鎖された状態を示すもので、この状態では、一端側の縦桟４ａ、即ち先頭の縦桟４ａが前記施錠手段によって横桟２の一端部に固定され、これによって防犯機能が維持される。
【００２４】
上記閉鎖状態から火災発生等の緊急時や防虫網戸の取り外し時に窓開口部Ｏを開放する場合には、前記施錠手段をロック解錠操作した後、図１の(a) の右端に示す先頭の縦桟４ａを把持して、同図の左方へスライドさせると、この縦桟４ａより後続の縦桟４・・・が順次玉突き状態に押されて図２に示すように左端にあるの固定縦桟４ｂ側へスライドし、窓開口部Ｏが開放される。従って、この開放された窓開口部Ｏから室外に脱出したり、網戸を取り出すことができる。また、このように窓開口部Ｏが開放された状態から先頭の縦桟４ａを把持して、同図の右方へスライドさせると、後続の縦桟４・・・がチェーン１０により引っ張られ、閉鎖状態となる。この閉鎖状態では前記施錠手段によって先頭の縦桟４ａを横桟２，３に固定すればよい。
【００２５】
上記のように先頭の縦桟４ａを把持してスライド開閉する時には、この縦桟４ａの上端部側と下端部側の速度が回転軸２５及びこれの両端部のピニオン８，８によって同調されるから、縦桟４の上端部、下端部あるいは中間部のどの位置を把持しても、この縦桟４ａがスライド方向前後に倒れるようなことがなく、従ってその倒れによる不具合が解消され、先頭の縦桟４ａを横桟２，３に沿って軽快にスライドさせることができる。
【００２６】
また両端側の縦桟４ａ，４ｂを含む全ての縦桟４・・・に設けられているスライダー７には、各横桟２，３のガイドレール５に支持されて転動する車輪１９が軸支されており、しかもこの車輪１９は、スライダー７がガイドレール５に対し僅かに浮いた状態で台座部２０上に支持されるようになっているから、スライダー７のスライド動作が非常に軽くなり、従ってこれらの縦桟４・・・による窓開口部Ｏのスライド開閉操作を迅速容易にして且つスムーズに行わせることができる。
【００２７】
また、各スライダー７にはスライダー本体７ｂの上部側に倒れ防止片２２が設けられているから、各縦桟４のスライド中における横方向の倒れが防止され、それによって縦桟４のスライド開閉操作をより一層軽快に行わせることができる。
【００２８】
図６の(a) 及び(b) は本発明に係る柵装置の他の実施形態である面格子３１を窓開口部Ｏに設置した状態を室外側から見た正面図であり、(b) は同面格子３１を室外側から見た正面図であり、図７は図６の(a) のＺ−Ｚ線拡大断面図である。図８は同面格子３１の一端側の縦桟４ａの拡大縦断面図、図９は同面格子３１の横桟２，３の一端側部分の拡大縦断面図である。この面格子３１は、一端側の縦桟４ａ内に回転軸２５を正逆回転駆動する電動モーター３０を設けて、この縦桟４ａを自動的にスライドさせるようにした電動開閉式面格子である。
【００２９】
ここに示す実施形態の面格子３１は、一端側の縦桟４ａ内に軸支された回転軸２５を駆動する電動モーター３０を設けた点以外は、図１〜図５によって説明した先の実施形態の面格子１と殆ど同じ構成であるため、図６〜図９には面格子１と同じ構成部材には同じ符号を付して、その説明を省略する。尚、この面格子３１の場合は、回転軸２５を回転駆動するモーター３０が、先頭の縦桟４ａを所要開閉位置で横桟２，３に固定するための施錠手段を兼用するので、先の実施形態の面格子１のような施錠手段は設けなくてもよい。
【００３０】
この面格子３１の使用要領を簡単に説明すると、図６の(a) 及び(b) は、面格子１が閉じて窓開口部Ｏが閉鎖された状態を示し、この状態では、一端側の縦桟４ａ、即ち先頭の縦桟４ａが横桟２の端部に固定され、これによって防犯機能が維持される。この閉鎖状態から火災発生等の緊急時や防虫網戸の取り外し時に窓開口部Ｏを開放する場合には、図示は省略するが、例えば、面格子開閉操作用押し釦スイッチの「開放釦」を押すと、電動モーター３０が所定方向に回転して、回転軸２５及びピニオン８，８を駆動し、この「開放釦」を押し続けている間、先頭の縦桟４ａが図６の(a) の左方へ自動的にスライドして、この縦桟４ａより後続の縦桟４・・・が順次玉突き状態に押されて窓開口部Ｏが開放される。この「開放釦」から手を離すと、電動モーター３０が停止して、縦桟４ａが所要開放位置で停止し、その位置に固定される。
【００３１】
また、上記のように窓開口部Ｏが開放された状態から、「閉鎖釦」を押すと、電動モーター３０が開放時とは逆方向に回転して、回転軸２５及びピニオン８，８を逆転駆動し、この「閉鎖釦」を押し続けている間、先頭の縦桟４ａが図６(a) の右方へスライドして、後続の縦桟４・・・がチェーン１０により引っ張られ、閉鎖状態となる。この「閉鎖釦」から手を離すと、電動モーター３０が停止して、縦桟４ａが所要閉鎖位置に固定されることになる。この面格子３１の開閉は、上記面格子開閉操作用押し釦スイッチ等を備えたリモコンによって遠隔操作することができる。
【００３２】
図１０は更に他の実施形態である面格子４１を窓開口部Ｏに設置した状態を室外側から見た正面図であり、図１１の(a) は同面格子４１の一端側の縦桟４ａの拡大縦断面図、同図の(b) は(a) のＶ−Ｖ線断面図、(d) は(a) のＷ−Ｗ線断面図である。この面格子４１では、先の実施形態の面格子１と同じく手動開閉式の面格子であるが、一端側の縦桟４ａに設けられるピニオン８としてピン形の歯８ａを形成したものを採用し、また上下各横桟２，３に設けられるラック６として、一端側の縦桟４ａのピニオン８のピン形歯８ａが噛合する歯孔６ａを各横桟２，３の第２型材１２に横桟長手方向に一定ピッチで形成してなるものを採用している。
【００３３】
この面格子４１は、前述した面格子１と殆ど同じ構成であるため、図１０及び図１１には面格子１と同じ構成部材には同じ符号を付してその説明を省略し、また作用及び使用方法についても面格子４１と同じであるため、その説明を省略する。この面格子４１では、特にラック６として、ピン形歯８ａが噛合する歯孔６ａを各横桟２，３に直接形成できるため、面格子１，３１に使用されている普通の形のラックのようにラック形成用の型材が不要となり、その型材の分だけ横桟２，３の重量を軽減できることになる。また、この面格子４１は手動開閉式の面格子であるが、面格子３１のように電動式に開閉させるようにしてもよい。
【図面の簡単な説明】
【００３４】
【図１】(a) は本発明に係る柵装置の一実施形態である面格子を窓開口部に設置した状態を室外側から見た正面図、(b) は同面格子を室外側から見た正面図である。
【図２】同面格子を開放している状態を室外側から見た正面図である。
【図３】(a) は図１の(a) のＸ−Ｘ線拡大断面図、(b) は(a) に示すスライダーの拡大断面図である。
【図４】図１の(a) のＹ−Ｙ線に沿って断面した一部断面拡大平面図である。
【図５】同面格子の下部側部分の一部断面拡大正面図である。
【図６】(a) 及び(b) は本発明に係る柵装置の他の実施形態である面格子を窓開口部に設置した状態を室外側から見た正面図、(b) は同面格子を室外側から見た正面図である。
【図７】図６の(a) のＺ−Ｚ線拡大断面図である。
【図８】同面格子の一端側の縦桟の拡大縦断面図である。
【図９】同面格子の横桟の一端側部分の拡大縦断面図である。
【図１０】更に他の実施形態である面格子を窓開口部に設置した状態を室外側から見た正面図である。
【図１１】(a) は同面格子の一端側の縦桟の拡大縦断面図、(b) は(a) のＶ−Ｖ線断面図、(d) は(a) のＷ−Ｗ線断面図である。
【符号の説明】
【００３５】
１，３１，４１        面格子（柵装置）
２，３                横桟
５                    ガイドレール
６                    ラック
７                    スライダー
８                    ピニオン
１０                  チェーン（索体）
１９                  車輪
２５                  回転軸
３０                  モーター
【図１】
2005188111.tif 000003
【図２】
2005188111.tif 000004
【図３】
2005188111.tif 000005
【図４】
2005188111.tif 000006
【図５】
2005188111.tif 000007
【図６】
2005188111.tif 000008
【図７】
2005188111.tif 000009
【図８】
2005188111.tif 000010
【図９】
2005188111.tif 000011
【図１０】
2005188111.tif 000012
【図１１】
2005188111.tif 000013